(57)【要約】【課題】  電磁放射ノイズのピークレベルを抑制することのできる出力回路を提供する。【解決手段】  出力回路は、出力バッファ１と、駆動部２と、遷移時間制御部３とを備える。出力バッファ１は、出力端子Ｔに接続されている。駆動部２は、入力信号ＩＮが入力されるプリバッファＰＢを有し、出力バッファ１を駆動する駆動信号ＤＲＶを生成する。遷移時間制御部３は、入力信号ＩＮの周期ごとに駆動信号ＤＲＶの信号レベル遷移時間を変化させる。この出力回路では、遷移時間制御部３の制御により、出力バッファ１を駆動する駆動信号ＤＲＶの信号レベル遷移時間が入力信号ＩＮの周期ごとに変化するため、出力バッファ１から出力される出力信号ＯＵＴのスルーレートも、入力信号ＩＮの周期ごとに変化する。【選択図】  図１
2017046224.tif 000002
【特許請求の範囲】
【請求項１】
出力端子に接続された出力バッファと、
入力信号が入力されるプリバッファを有し、前記出力バッファを駆動する駆動信号を生成する駆動部と、
前記入力信号の周期ごとに前記駆動信号の信号レベル遷移時間を変化させる遷移時間制御部と
を備えることを特徴とする出力回路。
【請求項２】
前記駆動部は、
前記プリバッファの駆動力を段階的に変化させるｎ個のスイッチを備え、
前記遷移時間制御部は、
前記駆動部へ入力される入力信号の周期ごとに、前記ｎ個のスイッチの導通の組み合わせを切り替えて前記プリバッファの駆動力を変化させる
ことを特徴とする請求項１に記載の出力回路。
【請求項３】
前記駆動部は、
前記プリバッファの出力端子に接続された負荷と、
前記負荷の大きさを段階的に変化させるｎ個のスイッチと
を備え、
前記遷移時間制御部は、
前記駆動部へ入力される入力信号の周期ごとに、前記ｎ個のスイッチの導通の組み合わせを切り替えて前記駆動部の負荷の大きさを変化させる
ことを特徴とする請求項１に記載の出力回路。
【請求項４】
複数の出力端子のそれぞれに、前記出力バッファ、前記駆動部および前記遷移時間制御部が、それぞれ接続されている
ことを特徴とする請求項２または３に記載の出力回路。
【請求項５】
前記複数の出力端子のそれぞれごとに、前記遷移時間制御部が、前記ｎ個のスイッチの導通の組み合わせを異ならせる
ことを特徴とする請求項４に記載の出力回路。
【発明の詳細な説明】
【技術分野】
【０００１】
本発明の実施形態は、出力回路に関する。
【背景技術】
【０００２】
矩形波のＬＳＩ内部信号は、高次の周波数スペクトルを含んでいる。そのため、出力端子から外部へ出力されると、出力端子や、それに接続された伝送経路を経由して電磁ノイズが放射される。
【０００３】
そこで、高次の周波数スペクトルを低減させるために、出力回路にて出力信号のスルーレートを制御し、出力信号のレベル遷移をなだらかにすることが行われている。これにより、電磁放射ノイズの周波数を低くすることができる。しかし、従来、スルーレートが一定値に制御されているため、ある特定の周波数でノイズレベルのピークが高くなる、という問題が生じていた。
【先行技術文献】
【特許文献】
【０００４】
【特許文献１】特開２００３−２５８６１１号公報
【発明の概要】
【発明が解決しようとする課題】
【０００５】
本発明が解決しようとする課題は、電磁放射ノイズのピークレベルを抑制することのできる出力回路を提供することにある。
【課題を解決するための手段】
【０００６】
実施形態の出力回路は、出力バッファと、駆動部と、遷移時間制御部とを備える。出力バッファは、出力端子に接続されている。駆動部は、入力信号が入力されるプリバッファを有し、前記出力バッファを駆動する駆動信号を生成する。遷移時間制御部は、前記入力信号の周期ごとに前記駆動信号の信号レベル遷移時間を変化させる。
【図面の簡単な説明】
【０００７】
【図１】実施形態の出力回路の構成概念図。
【図２】第１の実施形態の出力回路の駆動部および遷移時間制御部の構成の例を示すブロック図。
【図３】第１の実施形態の出力回路における駆動信号の遷移時間制御の例を示す図。
【図４】第１の実施形態の出力回路の動作の例を示す波形図。
【図５】第１の実施形態の出力回路の駆動部の別の構成の例を示すブロック図。
【図６】第１の実施形態の出力回路の駆動部のさらに別の構成の例を示すブロック図。
【図７】第１の実施形態の出力回路の遷移時間制御部の別の構成の例を示すブロック図。
【図８】第２の実施形態の出力回路の駆動部の構成の例を示すブロック図。
【図９】第２の実施形態の出力回路における駆動信号の遷移時間制御の例を示す図。
【図１０】第２の実施形態の出力回路の動作の例を示す波形図。
【図１１】第２の実施形態の出力回路の駆動部の別の構成の例を示すブロック図。
【図１２】第２の実施形態の出力回路における駆動信号の遷移時間制御の別の例を示す図。
【図１３】第２の実施形態の出力回路の動作の別の例を示す波形図。
【図１４】第３の実施形態の出力回路の構成の例を示すブロック図。
【図１５】第３の実施形態の出力回路の動作の例を示す波形図。
【図１６】第３の実施形態の出力回路の動作の例を示す波形図。
【発明を実施するための形態】
【０００８】
以下、本発明の実施の形態について図面を参照して説明する。なお、図中、同一または相当部分には同一の符号を付して、その説明は繰り返さない。
【０００９】
（構成概念）
図１は、後述する各実施形態の出力回路に共通する構成の概念を示す図である。
【００１０】
実施形態の出力回路は、出力端子Ｔに接続された出力バッファ１と、入力信号ＩＮが入力されるプリバッファＰＢを有し、出力バッファ１を駆動する駆動信号ＤＲＶを生成する駆動部２と、入力信号ＩＮの周期ごとに駆動信号ＤＲＶの信号レベル遷移時間を変化させる遷移時間制御部３と、を備える。
【００１１】
実施形態の出力回路では、遷移時間制御部３の制御により、出力バッファ１を駆動する駆動信号ＤＲＶの信号レベル遷移時間が、入力信号ＩＮの周期ごとに変化する。そのため、出力バッファ１から出力される出力信号ＯＵＴのスルーレートも、入力信号ＩＮの周期ごとに変化する。
【００１２】
（第１の実施形態）
本実施形態では、駆動部２のプリバッファＰＢの駆動力を変化させることにより、駆動信号ＤＲＶの信号レベル遷移時間を変化させる例を示す。
【００１３】
図２は、本実施形態の出力回路の駆動部２１および遷移時間制御部３の構成の例を示すブロック図である。ここでは、プリバッファＰＢの駆動力を４段階に変化させる場合を例にとって説明するが、駆動力の切り替え段数は、４段に限るものではなく、任意に設定することができる。
【００１４】
駆動部２１では、プリバッファＰＢが、４つのプリバッファＰＢ０、ＰＢ１、ＰＢ２およびＰＢ３により構成される。このうち、プリバッファＰＢ１、ＰＢ２およびＰＢ３は、その出力にそれぞれスイッチＳＷ１、ＳＷ２およびＳＷ３が接続されており、スイッチが導通したときにプリバッファＰＢ０に並列に接続される。
【００１５】
この駆動部２１は、プリバッファＰＢ０に並列接続されるプリバッファの個数が、スイッチＳＷ１、ＳＷ２およびＳＷ３の導通の組み合わせにより変化する。並列接続される個数が多いほど、プリバッファＰＢの駆動力は増大する。
【００１６】
遷移時間制御部３は、入力信号ＩＮの周期ごとにカウント値ＣＴが変化するカウンタ３１と、カウンタ３１のカウント値ＣＴに応じてスイッチ制御信号Ｓ１〜Ｓ３の値を変化させ、駆動部２１のスイッチＳＷ１〜ＳＷ３のＯＮ／ＯＦＦを制御するスイッチ制御部３２と、を備える。
【００１７】
図３（ａ）に、カウンタ３１のカウント値ＣＴに対する、スイッチＳＷ１〜ＳＷ３のＯＮ／ＯＦＦの関係とプリバッファＰＢの駆動力の関係の例を示す。ここでは、カウンタ３１は、カウント値０〜３を繰り返しカウントするものとし、プリバッファＰＢ０〜ＰＢ３は、個々の駆動力が同じものであるとする。
【００１８】
カウント値ＣＴ＝０のとき、スイッチＳＷ１〜ＳＷ３は総てＯＦＦとされる。このとき、プリバッファＰＢは、プリバッファＰＢ０単独で構成される。このときのプリバッファＰＢの駆動力を１とする。
【００１９】
カウント値ＣＴ＝１のとき、スイッチＳＷ１のみがＯＮとされる。これにより、プリバッファＰＢは、プリバッファＰＢ０、ＰＢ１の並列接続となる。そのため、プリバッファＰＢの駆動力は２となる。
【００２０】
カウント値ＣＴ＝２のとき、スイッチＳＷ１、ＳＷ２がＯＮとされる。これにより、プリバッファＰＢは、プリバッファＰＢ０、ＰＢ１、ＰＢ２の並列接続となる。そのため、プリバッファＰＢの駆動力は３となる。
【００２１】
カウント値ＣＴ＝３のとき、スイッチＳＷ１、ＳＷ２、ＳＷ３がＯＮとされる。これにより、プリバッファＰＢは、プリバッファＰＢ０、ＰＢ１、ＰＢ２、ＰＢ３の並列接続となる。そのため、プリバッファＰＢの駆動力は４となる。
【００２２】
図３（ｂ）に、プリバッファＰＢの駆動力の変化と、プリバッファＰＢから出力される駆動信号ＤＲＶの信号レベル遷移時間の変化の関係を示す。
【００２３】
駆動信号ＤＲＶの信号レベル遷移時間は、プリバッファＰＢの駆動力が大きくなるほど短くなる。すなわち、プリバッファＰＢの駆動力が１のときの遷移時間をｔ４とすると、プリバッファＰＢの駆動力が２、３、４と増大するにつれ、遷移時間はｔ３、ｔ２、ｔ１と減少する。
【００２４】
図４は、本実施形態の動作の例を示す波形図である。入力信号ＩＮの変化に対する、駆動信号ＤＲＶおよび出力信号ＯＵＴの波形の変化の様子を示す。
【００２５】
入力信号ＩＮが変化すると、その周期ごとに、遷移時間制御部３のカウンタ３１のカウント値ＣＴが、０→１→２→３→０→・・・と変化する。このカウント値ＣＴの変化に応じて、駆動部２１のプリバッファＰＢの駆動力が変化し、プリバッファＰＢから出力される駆動信号ＤＲＶの信号レベル遷移時間が、ｔ４→ｔ３→ｔ２→ｔ１→ｔ４→・・・と変化する。これにより、駆動信号ＤＲＶにより駆動される出力バッファ１の出力信号ＯＵＴのスルーレートも、ｓｒ４→ｓｒ３→ｓｒ２→ｓｒ１→ｓｒ４→・・・と変化する（ｓｒ４＞ｓｒ３＞ｓｒ２＞ｓｒ１）。
【００２６】
このように、本実施形態では、入力信号ＩＮが変化するごとに出力信号ＯＵＴのスルーレートが変化する。そのため、出力信号ＯＵＴに含まれる高調波成分の周波数スペクトルが時間的に分散し、出力信号ＯＵＴに起因する電磁放射ノイズのピークレベルが低下する。
【００２７】
図５に、駆動部２のプリバッファＰＢの駆動力を変化させる別の構成の例を示す。ここでは、プリバッファＰＢへ供給する電源電流の大きさを変化させてプリバッファＰＢの駆動力を変化させる例を示す。
【００２８】
図５に示す駆動部２１Ａは、プリバッファＰＢへ常に接続されている電流源Ｉ０と、プリバッファＰＢへの接続がスイッチＳＷ１、ＳＷ２およびＳＷ３によりそれぞれ制御される、電流源Ｉ１、Ｉ２およびＩ３とを備えている。
【００２９】
スイッチＳＷ１〜ＳＷ３のＯＮ／ＯＦＦを、例えば図２に示す遷移時間制御部３により制御することとすると、カウンタ３１のカウント値ＣＴに応じて並列接続される電流源の個数は、１→２→３→４→１→・・・と変化する。
【００３０】
並列接続される電流源の数が多いほど、プリバッファＰＢへ供給される動作電流が増大し、プリバッファＰＢの駆動力が増大する。
【００３１】
図６に、駆動部２のプリバッファＰＢの駆動力を変化させる、さらに別の構成の例を示す。ここでは、プリバッファＰＢへ供給する電源電圧の大きさを変化させてプリバッファＰＢの駆動力を変化させる例を示す。
【００３２】
図６に示す駆動部２１Ｂは、ベース電圧Ｖ０と、ベース電圧Ｖ０に加算する電圧Ｖ１、Ｖ２およびＶ３と、を出力する電源部２１２を備える。
【００３３】
スイッチＳＷ１〜ＳＷ３が順次ＯＮすると、プリバッファＰＢへ供給される電源電圧は、ベース電圧Ｖ０に電圧Ｖ１、Ｖ２、Ｖ３が順次加算され、次第に高くなる。電源電圧が高くなるほど、プリバッファＰＢの駆動力は増大する。
【００３４】
次に、遷移時間制御部の別の構成の例を示す。
【００３５】
図７に示す遷移時間制御部３Ａは、図２に示した遷移時間制御部３のカウンタ３１を乱数発生器３１Ａに置き換えたものである。スイッチ制御部３２は、乱数発生器３１Ａから出力される乱数ＲＮに応じてスイッチ制御信号Ｓ１〜Ｓ３の値を変化させる。
【００３６】
カウンタ３１を用いた場合、入力信号ＩＮの変化に対する駆動信号ＤＲＶの信号レベル遷移時間の変化が規則的であるが、乱数発生器３１Ａを用いると、駆動信号ＤＲＶの信号レベル遷移時間の変化は不規則となる。
【００３７】
このような本実施形態によれば、入力信号ＩＮが変化する周期ごとに、駆動部２のプリバッファＰＢの駆動力を変化させて駆動信号ＤＲＶの信号レベル遷移時間を変化させることにより、出力信号ＯＵＴのスルーレートを変化させることができる。これにより、出力信号ＯＵＴに含まれる高調波成分の周波数スペクトルを時間的に分散させることができ、出力信号ＯＵＴに起因する電磁放射ノイズのピークレベルを抑制することができる。
【００３８】
（第２の実施形態）
上述の第１の実施形態では、駆動部２のプリバッファＰＢの駆動力を変化させることにより駆動信号ＤＲＶの信号レベル遷移時間を変化させる例を示したが、本実施形態では、プリバッファＰＢの負荷の大きさを変化させることにより駆動信号ＤＲＶの信号レベル遷移時間を変化させる例を示す。なお、ここでは、プリバッファＰＢの負荷の大きさを４段階に変化させる場合を例にとって説明するが、負荷の大きさの切り替え段数は、４段に限るものではなく、任意に設定することができる。
【００３９】
図８に示す駆動部２２は、プリバッファＰＢに接続する負荷をキャパシタとして、その負荷容量の大きさをスイッチＳＷ１〜ＳＷ３により切り替える例である。
【００４０】
駆動部２２は、プリバッファＰＢの出力と接地端子との間に、それぞれ、スイッチＳＷ１、ＳＷ２およびＳＷ３を介して接続される、キャパシタＣ１、Ｃ２およびＣ３を備える。
【００４１】
図９（ａ）に、図２に示す遷移時間制御部３によりスイッチＳＷ１〜ＳＷ３のＯＮ／ＯＦＦを制御したときの、カウンタ３１のカウント値ＣＴに対する負荷容量の変化の例を示す。なお、ここでは、キャパシタＣ１〜Ｃ３の容量値が同じ値Ｃである例を示しているが、キャパシタＣ１〜Ｃ３の容量値は異なる値であってもよい。
【００４２】
図９（ａ）に示す例では、カウンタ３１のカウント値ＣＴが０→１→２→３と変化するにつれてプリバッファＰＢの出力に並列に接続されるキャパシタの数が増加し、プリバッファＰＢの負荷容量は、０→Ｃ→２Ｃ→３Ｃと増加する。
【００４３】
図９（ｂ）に、プリバッファＰＢの負荷容量の変化と、プリバッファＰＢから出力される駆動信号ＤＲＶの信号レベル遷移時間の変化の関係を示す。
【００４４】
駆動信号ＤＲＶの信号レベル遷移時間は、プリバッファＰＢの負荷容量が大きくなるほど長くなる。すなわち、プリバッファＰＢの負荷容量が０のときの遷移時間をｔ１とすると、プリバッファＰＢの負荷容量が１、２、３と増加するにつれ、遷移時間は、ｔ２、ｔ３、ｔ４と増加する。
【００４５】
図１０に、駆動部２２および遷移時間制御部３を用いたときの、入力信号ＩＮの変化に対する、駆動信号ＤＲＶおよび出力信号ＯＵＴの波形の変化の様子を示す。
【００４６】
入力信号ＩＮが変化すると、その周期ごとに、遷移時間制御部３のカウンタ３１のカウント値ＣＴが、０→１→２→３→０→・・・と変化する。このカウント値ＣＴの変化に応じて、駆動部２２のプリバッファＰＢの負荷容量が変化し、プリバッファＰＢから出力される駆動信号ＤＲＶの信号レベル遷移時間が、ｔ１→ｔ２→ｔ３→ｔ４→ｔ１→・・・と変化する。これにより、駆動信号ＤＲＶにより駆動される出力バッファ１の出力信号ＯＵＴのスルーレートも、ｓｒ１→ｓｒ２→ｓｒ３→ｓｒ４→ｓｒ１→・・・と変化する。
【００４７】
次に、プリバッファＰＢに接続する負荷を抵抗として、その抵抗値の大きさをスイッチＳＷ１〜ＳＷ３により切り替える例を示す。
【００４８】
図１１に示す駆動部２２Ａは、プリバッファＰＢの出力と出力バッファ１との間に直列に接続された抵抗Ｒ０と、一端がともにプリバッファＰＢの出力に接続され、他端がそれぞれスイッチＳＷ１、ＳＷ２およびＳＷ３に接続された抵抗Ｒ１、Ｒ２およびＲ３を備える。抵抗Ｒ１、Ｒ２およびＲ３は、それぞれ、スイッチＷ１、ＳＷ２およびＳＷ３が導通したときに抵抗Ｒ０に並列に接続される。
【００４９】
図１２（ａ）に、図２に示す遷移時間制御部３によりスイッチＳＷ１〜ＳＷ３のＯＮ／ＯＦＦを制御したときの、カウンタ３１のカウント値ＣＴに対する負荷抵抗の変化の例を示す。なお、ここでは、抵抗Ｒ０〜Ｒ３の抵抗値が同じ値Ｒである例を示しているが、抵抗Ｒ０〜Ｒ３の抵抗値は異なる値であってもよい。
【００５０】
図１２（ａ）に示す例では、カウンタ３１のカウント値ＣＴが０→１→２→３と変化するにつれてプリバッファＰＢの出力に並列に接続される抵抗の数が増加し、プリバッファＰＢの負荷抵抗の抵抗値は、Ｒ→Ｒ／２→Ｒ／３→Ｒ／４と減少する。
【００５１】
図１２（ｂ）に、プリバッファＰＢの負荷抵抗の抵抗値の変化と、プリバッファＰＢから出力される駆動信号ＤＲＶの信号レベル遷移時間の変化の関係を示す。
【００５２】
駆動信号ＤＲＶの信号レベル遷移時間は、プリバッファＰＢの負荷抵抗の抵抗値が小さくなるほど短くなる。すなわち、プリバッファＰＢの負荷抵抗の抵抗値がＲのときの遷移時間をｔ４とすると、プリバッファＰＢの負荷抵抗の抵抗値がＲ／２、Ｒ／３、Ｒ／４と減少するにつれ、遷移時間は、ｔ３、ｔ２、ｔ１と減少する。
【００５３】
図１３に、駆動部２２Ａおよび遷移時間制御部３を用いたときの、入力信号ＩＮの変化に対する、駆動信号ＤＲＶおよび出力信号ＯＵＴの波形の変化の様子を示す。
【００５４】
入力信号ＩＮが変化すると、その周期ごとに、遷移時間制御部３のカウンタ３１のカウント値ＣＴが、０→１→２→３→０→・・・と変化する。このカウント値ＣＴの変化に応じて、駆動部２２ＡのプリバッファＰＢの負荷抵抗の抵抗値が変化し、プリバッファＰＢから出力される駆動信号ＤＲＶの信号レベル遷移時間が、ｔ４→ｔ３→ｔ２→ｔ１→ｔ４→・・・と変化する。これにより、駆動信号ＤＲＶにより駆動される出力バッファ１の出力信号ＯＵＴのスルーレートも、ｓｒ４→ｓｒ３→ｓｒ２→ｓｒ１→ｓｒ４→・・・と変化する。
【００５５】
このような本実施形態によれば、入力信号ＩＮが変化する周期ごとに、駆動部２のプリバッファＰＢの負荷の大きさを変化させて駆動信号ＤＲＶの信号レベル遷移時間を変化させることにより、出力信号ＯＵＴのスルーレートを変化させることができる。これにより、本実施形態においても、出力信号ＯＵＴに含まれる高調波成分の周波数スペクトルを時間的に分散させることができ、出力信号ＯＵＴに起因する電磁放射ノイズのピークレベルを抑制することができる。
【００５６】
（第３の実施形態）
本実施形態では、複数の出力端子のそれぞれに、上述の各実施形態の出力回路が接続されたときの例を示す。
【００５７】
図１４に示す構成例では、出力端子Ｔ１〜Ｔ４に、それぞれ、出力バッファ１−１〜１−４、駆動部２−１〜２−４、遷移時間制御部３−１〜３−４が、接続されている。なお、ここでは、遷移時間制御部３−１〜３−４が、それぞれ、カウンタ３１−１〜３１−４を有しているものとする。
【００５８】
カウンタ３１−１〜３１−４は、駆動部２−１〜２−４へ入力される入力信号ＩＮ１〜ＩＮ４の周期の変化をそれぞれカウントし、カウント値ＣＴ１〜ＣＴ４を出力する。
【００５９】
図１５に、カウンタ３１−１〜３１−４のカウント開始の初期値が同じである場合の、入力信号ＩＮ１〜ＩＮ４の変化に対する、カウンタ３１−１〜３１−４のカウント値ＣＴ１〜ＣＴ４の変化の様子を示す。
【００６０】
図１５に示すように、カウンタ３１−１〜３１−４のカウント値ＣＴ１〜ＣＴ４は、それぞれの入力信号ＩＮ１〜ＩＮ４の変化の周期に応じて変化する。したがって、出力信号ＯＵＴ１〜ＯＵＴ４のスルーレートも、それぞれの入力信号ＩＮ１〜ＩＮ４の変化の周期に応じて変化する。
【００６１】
出力信号ＯＵＴ１〜ＯＵＴ４のスルーレートの変化のタイミングが異なっていると、出力信号ＯＵＴ１〜ＯＵＴ４の全体を通して、高調波成分の周波数スペクトルが時間的に分散され、出力信号に起因する電磁放射ノイズのピークレベルが低下する。
【００６２】
ただし、入力信号ＩＮ１〜ＩＮ４が同じタイミングで同じように変化すると、カウンタ３１−１〜３１−４のカウント値ＣＴ１〜ＣＴ４も同じタイミングで同じように変化し、出力信号ＯＵＴ１〜ＯＵＴ４のスルーレートも同じタイミングで同じように変化して、出力信号ＯＵＴ１〜ＯＵＴ４全体で高調波成分の周波数スペクトルが重なってしまうことが考えられる。
【００６３】
このような場合には、カウンタ３１−１〜３１−４のカウント開始の初期値を異なる値とすればよい。
【００６４】
図１６に、カウンタ３１−１〜３１−４のカウント開始の初期値が異なる場合の、入力信号ＩＮ１〜ＩＮ４の変化に対する、カウンタ３１−１〜３１−４のカウント値ＣＴ１〜ＣＴ４および出力信号ＯＵＴ１〜ＯＵＴ４の変化の様子を示す。
【００６５】
図１６では、入力信号ＩＮ１〜ＩＮ４が同じタイミングで同じように変化している。しかし、カウンタ３１−１〜３１−４のカウント値ＣＴ１〜ＣＴ４は、初期値が異なるため、それぞれ異なる値となっている。そのため、同じタイミングで見たときの出力信号ＯＵＴ１〜ＯＵＴ４のスルーレートは、それぞれ異なる値となっている。
【００６６】
そのため、同じタイミングで見たときの出力信号ＯＵＴ１〜ＯＵＴ４の高調波成分の周波数スペクトルは、異なる周波数分布を示す。したがって、出力信号ＯＵＴ１〜ＯＵＴ４全体での周波数スペクトルが分散され、出力信号に起因する電磁放射ノイズのピークレベルが低下する。
【００６７】
このような本実施形態によれば、複数の出力信号全体で高調波成分の周波数スペクトルを分散させることができ、出力信号に起因する電磁放射ノイズのピークレベルを抑制することができる。
【００６８】
以上説明した少なくとも１つの実施形態の出力回路によれば、電磁放射ノイズのピークレベルを抑制することができる。
【００６９】
また、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１、１−１〜１−４  出力バッファ
２、２−１〜２−４、２１、２１Ａ、２１Ｂ、２２、２２Ａ  駆動部
３、３−１〜３−４、３Ａ  遷移時間制御部
２１２  電源部
３１、３１−１〜３１−４  カウンタ
３１Ａ  乱数発生器
３２  スイッチ制御部
ＰＢ、ＰＢ０〜ＰＢ４  プリバッファ
ＳＷ１〜ＳＷ３  スイッチ
Ｉ０〜Ｉ３  電流源
Ｃ１〜Ｃ３  キャパシタ
Ｒ０〜Ｒ３  抵抗
【図１】
2017046224.tif 000003
【図２】
2017046224.tif 000004
【図３】
2017046224.tif 000005
【図４】
2017046224.tif 000006
【図５】
2017046224.tif 000007
【図６】
2017046224.tif 000008
【図７】
2017046224.tif 000009
【図８】
2017046224.tif 000010
【図９】
2017046224.tif 000011
【図１０】
2017046224.tif 000012
【図１１】
2017046224.tif 000013
【図１２】
2017046224.tif 000014
【図１３】
2017046224.tif 000015
【図１４】
2017046224.tif 000016
【図１５】
2017046224.tif 000017
【図１６】
2017046224.tif 000018